(57)【特許請求の範囲】
【請求項１】
硬質材料よりなる工具本体に形成された内周面に凹部を有する取付孔に、上記硬質材料よりも硬度が低い金属材料よりなる連結部材の円筒状の取付部が挿入され、この取付部が拡径するように塑性変形させられて、該取付部の外周面が上記取付孔の内周面と密着させられて上記凹部と係合されることにより、これら工具本体と連結部材とが接合されたヘッド交換式切削工具であって、
上記凹部は、上記工具本体の後端面と上記取付孔の底面からそれぞれ間隔をあけて複数形成されていて、上記取付孔への上記取付部の挿入方向側に向かうに従い外周側に向かう第１壁面と、この第１壁面に対向して上記挿入方向側に向かうに従い内周側に向かう第２壁面とを有し、
上記第１壁面と上記取付孔の内周面とが交差する位置において上記第１壁面が上記取付孔の中心線に垂直な平面に対してなす第１傾斜角が、上記第２壁面と上記取付孔の内周面とが交差する位置において上記第２壁面が上記中心線に垂直な平面に対してなす第２傾斜角よりも小さくされ、
上記工具本体には、先端側から後端側に向けて順に、切刃が形成される刃部と、レンチが係合させられる係合部と、これら刃部および係合部よりも外径が一段小さく、この外径が後端側に向かうに従い漸次小さくなるテーパ軸部が形成されており、上記取付孔は上記テーパ軸部の後端面に開口しているとともに、複数の上記凹部のうち先端側の凹部は、上記中心線方向において上記係合部に当たる位置に形成されていることを特徴とするヘッド交換式切削工具。
【請求項２】
上記第２傾斜角は４５°以上とされていることを特徴とする請求項１に記載のヘッド交換式切削工具。
【請求項３】
上記第１傾斜角は４５°以下とされていることを特徴とする請求項１または請求項２に記載のヘッド交換式切削工具。
【請求項４】
上記第２壁面は、上記中心線に沿った断面において上記取付孔の内周側に凸となる凸曲線状をなしていることを特徴とする請求項１から請求項３のうちいずれか一項に記載のヘッド交換式切削工具。
【発明の詳細な説明】
【技術分野】
【０００１】
本発明は、刃部を有してホルダに連結される切削ヘッドやこの切削ヘッドを連結して保持するホルダのようなヘッド交換式切削工具に関するものである。
【背景技術】
【０００２】
このようなヘッド交換式切削工具として、特許文献１には、ホルダに形成された取付孔に挿入されて取付ねじ部に螺着されることにより着脱可能に取り付けられる交換式切削ヘッドであって、硬質材料からなり、先端部に設けられた刃部と、後端部に設けられて上記取付孔に挿入される取付部と、凹部が形成された内周面を有する連結孔とを備える切削ヘッド本体と、上記硬質材料の硬さよりも低硬度の金属材料からなり、上記連結孔に挿入されてその内周面に外周面が密着されることにより係合される先端軸部と、上記取付ねじ部に螺合されるヘッドねじ部と、上記ヘッドねじ部および先端軸部の内部において先端軸部の中心線に沿うように形成された孔部とを備えて、切削ヘッド本体に連結される連結部材とから構成された交換式切削ヘッドが記載されている。
【０００３】
このような交換式切削ヘッドは、連結部材の先端軸部を切削ヘッド本体の連結孔に挿入した上で、連結部材の孔部に、その内径よりも僅かに大きな外径のパンチを圧入することにより、連結部材の先端軸部を塑性変形させて拡径させ、その外周面を連結孔内周面の凹部に入り込ませて係合させることによって切削ヘッド本体と連結部材とが一体化させられる。ここで、この特許文献１には、凹部として切削ヘッド本体の連結孔の内周面に環状溝を形成することが記載され、さらに特許文献１の図３では、この凹部は上記中心線に沿った断面において略円弧状をなしている。
【先行技術文献】
【特許文献】
【０００４】
【特許文献１】特開２０１１−１４３５３２号公報
【発明の概要】
【発明が解決しようとする課題】
【０００５】
しかしながら、このような断面円弧状の凹部であると、切削ヘッド本体と連結部材の係合強度を高めるために、連結部材の先端軸部外周面をより大きく凹部内に入り込ませようとして凹部の上記中心線方向の幅を大きくした場合には、凹部の深さも大きくなってしまい、パンチを圧入したときや連結部材のヘッドネジ部をホルダの取付ねじ部にねじ込んだとき、あるいはこうしてホルダに取り付けられて交換式切削ヘッドが切削に使用される際に切削負荷が作用したときなどに、硬質材料であるために脆性傾向も高い切削ヘッド本体に凹部の底から亀裂が生じて破損するおそれがある。
【０００６】
その一方で、凹部の深さはそのままにして、円弧の中心線方向の長さを引き延ばした断面半長円状の凹部を形成すると、先端軸部外周面の塑性変形量は大きくなるが、パンチを圧入して連結部材の先端軸部を塑性変形させるときに、大きく塑性変形した先端軸部の外周面が凹部の圧入方向側の壁面に強く引っ掛かりすぎ、パンチへの圧入方向後方側への負荷が大きくなって、パンチが折損するおそれがある。また、中心線方向に切削ヘッド本体の連結孔内周面が大きく切り欠かれるため、やはり切削ヘッド本体の強度が損なわれて破損が生じるおそれもある。
【０００７】
本発明は、このような背景の下になされたもので、硬質材料であるために脆性傾向も強いヘッド本体やホルダ等の工具本体の破損やパンチの折損を生じることなく、工具本体と連結部材との係合強度を高めることが可能なヘッド交換式切削工具を提供することを目的としている。
【課題を解決するための手段】
【０００８】
上記課題を解決して、このような目的を達成するために、本発明は、硬質材料よりなる工具本体に形成された内周面に凹部を有する取付孔に、上記硬質材料よりも硬度が低い金属材料よりなる連結部材の円筒状の取付部が挿入され、この取付部が拡径するように塑性変形させられて、該取付部の外周面が上記取付孔の内周面と密着させられて上記凹部と係合されることにより、これら工具本体と連結部材とが接合されたヘッド交換式切削工具であって、上記凹部は、上記工具本体の後端面と上記取付孔の底面からそれぞれ間隔をあけて複数形成されていて、上記取付孔への上記取付部の挿入方向側に向かうに従い外周側に向かう第１壁面と、この第１壁面に対向して上記挿入方向側に向かうに従い内周側に向かう第２壁面とを有し、上記第１壁面と上記取付孔の内周面とが交差する位置において上記第１壁面が上記取付孔の中心線に垂直な平面に対してなす第１傾斜角が、上記第２壁面と上記取付孔の内周面とが交差する位置において上記第２壁面が上記中心線に垂直な平面に対してなす第２傾斜角よりも小さくされ、上記工具本体には、先端側から後端側に向けて順に、切刃が形成される刃部と、レンチが係合させられる係合部と、これら刃部および係合部よりも外径が一段小さく、この外径が後端側に向かうに従い漸次小さくなるテーパ軸部が形成されており、上記取付孔は上記テーパ軸部の後端面に開口しているとともに、複数の上記凹部のうち先端側の凹部は、上記中心線方向において上記係合部に当たる位置に形成されていることを特徴とする。
【０００９】
このように構成されたヘッド交換式切削工具では、工具本体の取付孔への取付部の挿入方向は、連結部材の取付部を拡径するように塑性変形させる際のパンチの圧入方向となるが、この挿入方向を向いて該挿入方向側に向かうに従い外周側に向かう凹部の第１壁面が取付孔の中心線に対してなす第１傾斜角が、第１壁面に対向して挿入方向側に向かうに従い内周側に向かう第２の壁面が上記平面に対してなす第２傾斜角よりも小さくされ、従って取付孔の中心線や内周面に対してなす傾斜角は、第２壁面が第１壁面よりも小さくされる。
【００１０】
このため、第１壁面と取付孔の内周面とが交差する位置における第１壁面が取付孔の中心線に垂直な平面に対してなす第１傾斜角が、特許文献１に記載のヘッド交換式切削工具の凹部と同じであれば、第２壁面の中心線に対してなす傾斜が緩やかな分、凹部の深さが同じでも凹部の中心線方向の幅を大きくすることができ、パンチを圧入したときの取付部外周面の塑性変形量を大きくすることができる。また、凹部を断面半長円状としたりするのに比べて、工具本体が切り欠かれる部分も小さくできる。
【００１１】
さらに、パンチの圧入方向側に位置することになる第２壁面は、上述のように取付孔の内周面に対する傾斜が緩やかであるので、このように大きく塑性変形した取付部の外周面が第２壁面に強く引っ掛かりすぎることがなく、パンチへの圧入方向後方側への負荷を小さく抑えてパンチに折損が生じるのを防ぐことができる。そして、この第２壁面に対し、取付孔への取付部の挿入方向後方側に位置する第１壁面は、取付孔の中心線および内周面に対する傾斜は急であるので、大きく塑性変形した取付部の外周面と強く引っ掛かることによって係合強度を高めることができ、連結部材の引き抜きに対する抵抗力を強めることが可能となる。
【００１２】
ここで、上記第２傾斜角は４５°以上とされていることが望ましい。この第２傾斜角が４５°未満であると、取付孔中心線や内周面に対する第２壁面の傾斜が急になり、パンチ圧入時の塑性変形した取付部外周面の第２壁面への引っ掛かりが強くなりすぎてパンチの折損を確実に防止することができなくなるおそれがある。ただし、この第２壁面は、取付孔への取付部の挿入方向側に向かうに従い内周側に向かうものであるので、第２傾斜角が９０°を超えることはない。
【００１３】
なお、第２壁面は、取付孔の中心線に沿った断面が直線状をなして取付孔内周面に交差させられていてもよいが、同断面において上記取付孔の内周側に凸となる凸曲線状をなしていてもよい。この場合には、塑性変形した取付部外周面の引っ掛かりを一層小さくすることができる。
【００１４】
また、上記第１傾斜角は４５°以下とされていることが望ましい。この第１傾斜角度が４５°を超えて大きくなると取付孔中心線および内周面に対する傾斜が小さくなりすぎ、係合強度を確実に高めることができなくなるおそれが生じる。ただし、この第１壁面は、取付孔への取付部の挿入方向側に向かうに従い外周側に向かうものであるので、第１傾斜角が０°を下回って負となることはなく、すなわち第１壁面が取付孔内周面と交差する位置で上記挿入方向側に向かうに従い内周側に向かうようなことはない。
【発明の効果】
【００１５】
以上、説明したように、本発明によれば、工具本体の破損や圧入時のパンチの折損等を防ぎつつ、工具本体と連結部材との係合強度を高めることができ、連結部材が工具本体から引き抜かれるのを確実に防止することができる。
【図面の簡単な説明】
【００１６】
【図１】本発明の一実施形態であるヘッド本体の側面図である。
【図２】図１に示す実施形態の正面図である。
【図３】図１に示す実施形態のヘッド本体に製造されるヘッド本体素材の側面図である。
【図４】図３に示すヘッド本体素材の断面図である。
【図５】図１に示すヘッド本体素材に連結部材を挿入してパンチにより塑性変形させる際の一部破断側面図である。
【図６】図１に示す実施形態の凹部の拡大断面図である。
【図７】図６に示す凹部の変形例を示す拡大断面図である。
【発明を実施するための形態】
【００１７】
図１ないし図６は、ヘッド交換式切削工具としてホルダに着脱可能に取り付けられてエンドミルを構成する切削ヘッドに本発明を適用した場合の一実施形態を示すものである。この切削ヘッドは、図１に示すように、超硬合金やサーメット、セラミックス等の硬質材料により一体形成された本実施形態における工具本体としてのヘッド本体１に、このヘッド本体１を形成する上記硬質材料よりも硬度が低いステンレス鋼やダイス鋼等の鋼材のような塑性変形可能な金属材料よりなる連結部材２が接合されて構成されている。
【００１８】
このようなエンドミルを構成する切削ヘッドは、後述するように上記連結部材２を介して、図示されない円筒軸状のホルダの先端部に、ヘッド本体１の中心線Ｏ（本実施形態では後述する取付孔の中心線）が同軸となるように連結されて取り付けられ、このホルダが工作機械の主軸に取り付けられて、上記中心線Ｏ回りにエンドミル回転方向Ｔに回転されつつ、通常は該中心線Ｏに交差する方向に送り出されることにより、被削材に切削加工を施してゆく。
【００１９】
ヘッド本体１には、図１に示すように先端側（図１において左側）から後端側（図１において右側）に向けて順に、切刃が形成される刃部１１と、切削ヘッドの交換の際にレンチ等が係合させられる係合部１２と、これら刃部１１および係合部１２よりも外径が一段小さく、しかもこの外径が後端側に向かうに従い漸次小さくなるようにされた中心線Ｏを中心とする円錐台状のテーパ軸部１３が形成されている。なお、このテーパ軸部１３の外周面が中心線Ｏに対してなす傾斜角度は１°〜２０°の範囲内とされるのが望ましく、より望ましくは１°〜５°の範囲内、さらに望ましくは１°〜３°の範囲内とされて、本実施形態では２°とされている。
【００２０】
刃部１１の外周には、ヘッド本体１の先端から後端側に向けて軸線Ｏ回りにエンドミル回転方向Ｔの後方側に捩れる切屑排出溝１４が周方向に等間隔に複数条（本実施形態では４条）形成され、これらの切屑排出溝１４の外周側辺稜部には上記切刃として外周刃１５ａが、また先端側辺稜部には同じく切刃として底刃１５ｂが形成されている。なお、本実施形態のエンドミルはラジアスエンドミルであって、これら外周刃１５ａと底刃１５ｂとが交差するコーナ部には、１／４円弧等の凸曲線状をなすコーナ刃１５ｃが形成されており、従ってこれら外周刃１５ａ、底刃１５ｂ、およびコーナ刃１５ｃよりなる複数条（４条）の切刃がヘッド本体１に形成される。
【００２１】
図３および図４は、このような切屑排出溝１４や外周刃１５ａ、底刃１５ｂ、およびコーナ刃１５ｃが形成される前のヘッド本体１の素材となるヘッド本体素材１Ａを示すものであり、上述のような硬質材料の焼結等によって製造されたこのようなヘッド本体素材１Ａに、図５に示すように上記連結部材２が挿入されて接合された上で、刃部１１の切屑排出溝１４や外周刃１５ａ、底刃１５ｂ、およびコーナ刃１５ｃが形成されてヘッド本体１に製造される。なお、図３ないし図５では説明のため、ヘッド本体素材１Ａにおいてヘッド本体１の刃部１１、係合部１２、およびテーパ軸部１３となる部分に同一の符号を配してある。
【００２２】
このヘッド本体素材１Ａには、次述する凹部を除いて断面が中心線Ｏを中心とした一定内径の円形で、図４および図５に示すようにテーパ軸部１３の後端面に開口して先端側に延びる取付孔１６が中心線Ｏに沿って形成されている。さらに、この取付孔１６の内周面には、本実施形態における凹部として、中心線Ｏ回りに周回する環状溝１７が、図４に示すようにテーパ軸部１３の後端面と取付孔１６の底面からそれぞれ間隔をあけて複数条（本実施形態では８条）等間隔に形成されており、少なくとも先端側の環状溝（本実施形態では先端側の２条の環状溝）１７は中心線Ｏ方向においてヘッド本体素材１Ａにおけるヘッド本体１の係合部１２に当たる位置に形成されている。
【００２３】
一方、連結部材２は、図５に示すように先端側に中心線Ｏを中心とした略円筒状の取付部２１が形成されるとともに、後端側にはこの取付部２１よりも大径の雄ねじ部２２が同軸に一体形成されたものであり、取付部２１の外径は塑性変形前の状態において取付孔１６の内径より僅かに小さくされ、また雄ねじ部２２の外径は、取付孔１６の内径より大きくされ、テーパ軸部１３の後端面の外径よりは小さくされている。なお、この雄ねじ部２２の捩れの向きは、上記エンドミル回転方向Ｔの反対向きとされる。
【００２４】
また、円筒状の取付部２１の内周部は雄ねじ部２２を貫通して連結部材２の後端面に開口させられている。ただし、この連結部材２の内周部は、少なくとも図５に示した塑性変形前の状態において、上記取付部２１の部分で雄ねじ部２２の部分よりも内径が僅かに一段小径とされている。また、取付部２１の軸線Ｏ方向の長さは、図５に示すように取付孔１６の深さよりは短く、ただし雄ねじ部２２の先端面をテーパ軸部１３の後端面に当接させた状態で最先端の環状溝１７を超える長さとされている。
【００２５】
このような連結部材２は、取付部２１がヘッド本体素材１Ａにおける取付孔１６に挿入されて、上述のように雄ねじ部２２の先端面がテーパ軸部１３の後端面に当接させられた状態で、その内周部に、図５に矢線で示すようにパンチＰが取付孔１６への連結部材２の挿入方向と同じ圧入方向Ｆに圧入されることにより、取付部２１が拡径するように塑性変形させられて取付部２１の外周面が取付孔１６の内周面に密着し、さらに凹部である上記環状溝１７の位置では図６に破線で示すように外周面が環状溝１７内に入り込むようにして係合し、ヘッド本体素材１Ａに接合されて取り付けられる。
【００２６】
ここで、本実施形態では、パンチＰは、連結部材２よりも高硬度で、ヘッド本体１の硬度以下の硬度を有する、例えば工具鋼や軸受鋼等の金属材料により形成されたものであって、ヘッド本体１と同じく超硬合金やサーメット、セラミックス等の硬質材料により形成されていてもよい。また、パンチＰは、連結部材２の塑性変形前の取付部２１における内周部の内径よりも大きく、雄ねじ部２２における内周部の内径よりは小さな直径を有する中心線Ｏに沿った断面が凸曲線状の押圧部Ｑを先端部に有している。パンチＰは連結部材２がヘッド本体素材１Ａに接合された後は、取付部２１の内周部から抜き出される。
【００２７】
そして、上述のように塑性変形によって連結部材２の取付部２１の外周面が入り込む、本実施形態における凹部としての環状溝１７は、図６に示したように取付孔１６への取付部２１の挿入方向（パンチＰの圧入方向Ｆ）側に向かうに従い外周側に向かう第１壁面１７ａと、この第１壁面１７ａに対向して上記挿入方向側に向かうに従い内周側に向かう第２壁面１７ｂとを有しており、第１壁面１７ａと取付孔１６の内周面とが交差する位置において第１壁面１７ａが取付孔１６の中心線Ｏに垂直な平面Ｓに対してなす第１傾斜角αは、同じく第２壁面１７ｂと取付孔１６の内周面とが交差する位置において第２壁面１７ｂが上記平面Ｓに対してなす第２傾斜角βよりも小さくされている。
【００２８】
なお、本実施形態では、これら第１、第２壁面１７ａ、１７ｂは、中心線Ｏに沿った断面において直線状をなして取付孔１６の内周面に交差させられており、これらの直線が上記平面Ｓに対してなす角度が第１、第２傾斜角α、βとされるとともに、これらの直線が交差する環状溝１７の溝底部１７ｃは同断面において両直線に接する円弧等の凹曲線状をなすようにされている。第１傾斜角αは４５°以下とされるのが望ましく、本実施形態では３０°とされており、また第２傾斜角βは４５°以上とされるのが望ましく、本実施形態では６５°とされている。勿論、第１、第２傾斜角α、βがともに４５°になることはない。
【００２９】
こうして連結部材２が取り付けられたヘッド本体素材１Ａは、上述のように切屑排出溝１４や外周刃１５ａ、底刃１５ｂ、およびコーナ刃１５ｃが形成されてヘッド本体１に製造され、こうして製造されたヘッド本体１は、連結部材２の雄ねじ部２２が、上記ホルダの先端部内周部に形成された雌ねじ部にねじ込まれることにより、係合部１２の後端面がホルダの先端面に当接させられるとともに、テーパ軸部１３の外周面が上記雌ねじ部とホルダの先端面との間に形成された先端側に向かうに従い漸次拡径するテーパ孔部の内周面に密着させられてホルダと連結され、切削加工に使用される。
【００３０】
上記構成のヘッド交換式切削工具である切削ヘッドでは、凹部である環状溝１７の第１壁面１７ａの中心線Ｏに垂直な平面Ｓに対する第１傾斜角αが、第２壁面１７ｂの平面Ｓに対する第２傾斜角βよりも小さく、逆に中心線Ｏおよび該中心線Ｏに平行に延びる取付孔１６の内周面に対する傾斜角は、第２壁面１７ｂが第１壁面１７ａよりも小さくなる。このため、環状溝１７の深さを深くしなくても，図６に示すように環状溝１７の中心線Ｏ方向の幅ｗを大きくすることができ、パンチＰを圧入して連結部材２の取付部２１を塑性変形させたときに取付部２１外周面が環状溝１７内に入り込む塑性変形量ｈを大きくすることができる。
【００３１】
そして、こうして大きな塑性変形量ｈで取付部２１の外周面が入り込んだ環状溝１７の上記圧入方向（取付孔１６への取付部２１の挿入方向）Ｆ後方側には、取付孔１６の内周面に対する傾斜角が急となる第１壁面１７ａが形成されているので、環状溝１７に大きく入り込んだ取付部２１の外周面を第１壁面１７ａによって強く引っ掛けるようにして係合強度を増大させることができ、上述のようにホルダに取り付けられて切削加工に使用される際の連結部材２を引き抜く方向への負荷に対し、高い抵抗力を得ることができる。
【００３２】
また、環状溝１７を深くしなくても幅ｗを大きくすることができるため、環状溝１７の溝底部１７ｃからヘッド本体１の外周面までの肉厚を確保することができ、パンチＰの圧入時やホルダへの取付時、あるいは切削加工時に、超硬合金等の硬質材料であるために脆性傾向も強いヘッド本体１やヘッド本体素材１Ａに、この溝底部１７ｃから外周面に向けて亀裂が入って破損を生じてしまうようなこともない。さらに、凹部の深さが同じなら、凹部を断面半長円状としたりするのに比べても、ヘッド本体１やヘッド本体素材１Ａの取付孔１６の内周面が切り欠かれる部分を小さくして、これらの強度を確保することができる。
【００３３】
その一方で、パンチＰの圧入方向Ｆ側に位置する第２壁面１７ｂは、その第２傾斜角βが第１傾斜角よりも大きくされて取付孔１６内周面への傾斜が緩やかとされているので、上述のように取付部２１の外周面が大きな塑性変形量ｈで環状溝１７内に入り込んでも，第１壁面１７ａのように強く引っ掛かることはない。このため、パンチＰが圧入される際に圧入方向Ｆへの引っ掛かりが強くなりすぎ、その反力によってパンチＰへの圧入方向Ｆ後方側への負荷が高くなりすぎることによりパンチＰが折損してしまったりするのも防止することができる。
【００３４】
なお、本実施形態では、この第２壁面１７ｂや第１壁面１７ａも、中心線Ｏに沿った断面において直線状をなしているが、第２壁面１７ｂについては図７に示す変形例のように同断面において取付孔１６の内周側に凸となる凸曲線状をなして、挿入方向（圧入方向Ｆ）側に向かうに従い内周側に向かうようにされていてもよい。この変形例では、こうして断面凸曲線とされた第２壁面１７ｂが、取付孔１６の内周面と角度をもって交差するようにされており、第１傾斜角αは上記実施形態と同じく３０°で、第２傾斜角βは８０°とされている。
【００３５】
このような変形例の環状溝（凹部）１７を有するヘッド交換式切削工具においては、第２壁面１７ｂの取付孔１６内周面に対する傾斜が、第２壁面１７ｂが取付孔１６の内周面と交差する位置に向けて漸次緩やかになってゆくので、塑性変形した取付部２１外周面の引っ掛かりを一層抑えることが可能となり、パンチＰへの負荷もより軽減することができる。また、第２壁面１７ｂを断面直線状とした場合に比べても、環状溝１７（凹部）の深さが同じなら、ヘッド本体１やヘッド本体素材１Ａが切り欠かれる部分をさらに少なくすることができるので、一層の強度向上を図ることができる。
【００３６】
なお、これらの効果を確実に奏功するには、上記実施形態やその変形例のように第１傾斜角αは４５°以下とされるのが望ましく、また第２傾斜角βは４５°以上とされるのが望ましい。第１傾斜角αが４５°よりも大きいと、第１壁面１７ａの取付孔１６内周面に対する傾斜が緩やかとなり、塑性変形した取付部２１外周面を強く引っ掛けて係合強度を高めることができなくなるおそれがあり、第２傾斜角βが４５°未満であると、第２壁面１７ｂの取付孔１６内周面への傾斜が急すぎて取付部２１外周面に強く引っ掛かり、パンチＰ圧入時の負荷が高くなるおそれがある。
【００３７】
また、上記実施形態や変形例では、取付孔１６の内周面に中心線Ｏ回りに周回する環状溝１７を形成して第１、第２壁面１７ａ、１７ｂを画成しているが、周回り方向に分断された１または複数の溝を凹部としてもよい。さらに、環状溝１７ではなく、螺旋溝としてもよく、その場合は互いに捩れの向きの異なる複数の螺旋溝を交差させて、または交差させずに形成してもよい。さらにまた、溝ではなく、取付孔１６の内周面に点在する複数の凹みを形成して、上述のような第１、第２壁面１７ａ、１７ｂが形成された凹部としてもよい。
【００３８】
一方、上記実施形態および変形例では、ヘッド交換式切削工具のヘッド本体１を工具本体として連結部材２を接合する場合について説明したが、このヘッド本体１が取り付けられるホルダのホルダ本体を硬質材料よりなる工具本体として、このホルダに設けられる上記雌ねじ部を連結部材に形成して上記ホルダ本体に接合するのに本発明を適用することも可能である。この場合には、ホルダ本体に形成された取付孔に挿入される連結部材の取付部の内周部の内径が雌ねじ部の内径よりも小さくされ、この取付部内周部にパンチＰが圧入されることにより、取付部が塑性変形して連結部材がホルダ本体に接合される。
【符号の説明】
【００３９】
１  ヘッド本体（工具本体）
１Ａ  ヘッド本体素材
２  連結部材
１１  刃部
１２  係合部
１３  テーパ軸部
１６  取付孔
１７  環状溝（凹部）
１７ａ  第１壁面
１７ｂ  第２壁面
２１  取付部
２２  雄ねじ部
Ｏ  取付孔１６の中心線
Ｓ  中心線Ｏに垂直な平面
Ｐ  パンチ
Ｆ  圧入方向（取付孔１６への取付部２１の挿入方向）
ｗ  環状溝１７（凹部）の中心線Ｏ方向の幅
ｈ  塑性変形量
α  第１傾斜角
β  第２傾斜角
【図１】
0005895648.tif 000002
【図２】
0005895648.tif 000003
【図３】
0005895648.tif 000004
【図４】
0005895648.tif 000005
【図５】
0005895648.tif 000006
【図６】
0005895648.tif 000007
【図７】
0005895648.tif 000008